(57)【特許請求の範囲】
【請求項１】
底板と、この底板上に互いに対向させて立設した両側の側板と、これら側板の角部を連結するステーと、各側板の辺縁を補強するコ字断面形状の補強部材とからなること、
前記側板の辺縁に折り曲げ縁部を形成したこと、
該折り曲げ縁部に前記補強部材を固定してこれらで筐体の角パイプ状縁枠を形成したこと、
前記ステーの端部に、前記補強部材の端部と前記側板の角部とを覆うコーナーカバー部を設けたこと、
該コーナーカバー部に、前記側板の１つの角部を形成する一方の前記折り曲げ縁部と一方の前記補強部材とに重ね合わせてそれらをねじ止めする部分と、該１つの角部を形成する他方の前記折り曲げ縁部と他方の前記補強部材とに重ね合わせてそれらをねじ止めする別の部分とを設けたこと、
を特徴とする画像形成装置のフレーム構造。
【請求項２】
コ字断面形状の前記補強部材の内側に折り曲げた固定片を設け、該固定片を前記側板の折り曲げ縁部に重ねて固定したことを特徴とする請求項１に記載の画像形成装置のフレーム構造。
【請求項３】
前記固定片を前記補強部材の複数個所に設け、各固定片を前記側板の折り曲げ縁部に固定したことを特徴とする請求項２に記載の画像形成装置のフレーム構造。
【請求項４】
前記コーナーカバー部のねじ止めする部分またはねじ止めする別の部分をそれぞれ、前記補強部材の前記固定片と重ねて互いに固定したことを特徴とする請求項２または３に記載の画像形成装置のフレーム構造。
【発明の詳細な説明】
【０００１】
【発明の属する技術分野】
本発明は、画像形成装置においてその筐体となるフレーム構造に関する。
【０００２】
【従来の技術】
この種のフレーム構造として次の公報に開示されたものがある。
▲１▼  特開平９−１４６３２１号
コ字状の断面形状を有するコ字状部材と、このコ字状部材の開口縁部に機械的に結合された平板状の補強板とで角パイプ材とし、その軸方向の両端部を側板にネジ止め固定することにより、この角パイプ材をステーとして両側の側板を連結したもの。
【０００３】
▲２▼  特開平１１−１７７２５４号
底板と側板の一方の辺縁部を直角に折り曲げ、他方の辺縁部を階段状に折り曲げ、これら両者の折り曲げ縁部を接合することにより、筐体の下辺縁を角パイプ構造としたもの。
【０００４】
【発明が解決しようとする課題】
しかし、側板の周縁部は特に補強が必要であるが、▲１▼の従来技術の場合には、両側の側板を連結するステーを角パイプ材としているだけであり、ステーの強度は高まっても、それにて側板を補強することはできず、したがって、筐体全体の剛性を高めることができない。また、ステーをコ字状部材と平板状の補強板とで構成するため、部品点数が多くなるという問題がある。
【０００５】
▲２▼の従来技術の場合、底板の辺縁部と側板の辺縁部とで角パイプを形成するため、底板と側板との境界部の剛性は高まるが、それ以外の側板辺縁部については剛性を上げることができないので、筐体全体の剛性を高めるには不十分である。また、角パイプ部の剛性をさらに高めようとすると、面積が大きい底板と側板の板厚そのものを全体的に厚くしなければならず、筐体の重量が増加するという問題もある。
【０００６】
上記のように筐体全体の剛性が不十分であると、振動により画像品質が低下するとともに、騒音が発生し、また設置面が平坦でないと、筐体全体がゆがんで画像形成の精度が悪化（直角性不良）し、画像品質の低下を招くことになる。
【０００７】
そこで、本発明の目的は、特に補強が必要な側板の周縁部を、部品点数少なく単純な構造で補強することができるとともに、重量をさほど増加させずに筐体全体の剛性を効果的に高めることができる、画像形成装置のフレーム構造を提供することにある。
【０００８】
【課題を解決するための手段】
本発明によるフレーム構造は、底板と、この底板上に互いに対向させて立設した両側の側板と、これら側板の角部を連結するステーと、各側板の辺縁を補強するコ字断面形状の補強部材とからなること、
側板の辺縁に折り曲げ縁部を形成したこと、
該折り曲げ縁部に補強部材を固定してこれらで筐体の角パイプ状縁枠を形成したこと、
前記ステーの端部に、前記補強部材の端部と前記側板の角部とを覆うコーナーカバー部を設けたこと、
該コーナーカバー部に、前記側板の１つの角部を形成する一方の前記折り曲げ縁部と一方の前記補強部材とに重ね合わせてそれらをねじ止めする部分と、該１つの角部を形成する他方の前記折り曲げ縁部と他方の前記補強部材とに重ね合わせてそれらをねじ止めする別の部分とを設けたこと、
を特徴とする。
【０００９】
すなわち、側板の一部である折り曲げ縁部とコ字断面形状の補強部材とで筐体の角パイプ状縁枠を形成し、側板の辺縁を補強部材と側板自体の折り曲げ縁部とで補強すると同時に、筐体全体の剛性を高めたものである。
【００１０】
コ字断面形状の補強部材を側板の折り曲げ縁部に強固に固定するために、補強部材の内側に折り曲げた固定片を設け、該固定片を側板の折り曲げ縁部に重ねて固定するのが良く、この固定片を補強部材の複数個所に設けるとさらに良い。
【００１１】
また、筐体のコーナーを補強するとともに、ステーと側板、さらに補強部材との結合を強固に行うために、ステーの端部に、補強部材の端部と側板の角部とを覆うコーナーカバー部を設け、該コーナーカバー部と補強部材の固定片と側板の折り曲げ縁部とを重ねて互いに固定すると良い。
【００１２】
【発明の実施の形態】
次に、本発明の実施の形態を図面に従って詳細に説明する。
【００１３】
図１に示すように、本発明によるフレーム構造は、その筐体１が、底板２と、この底板２上に互いに対向させて立設した両側の側板３と、これら側板３の上側角部を筐体１の四辺について連結するステー４と、各側板３の辺縁を補強する補強部材５とで構成されている。
【００１４】
図２に示すように、各側板３の周縁（３つの辺縁）には、外側に直角に折り曲げた折り曲げ縁部３ａが一体に形成されている。
【００１５】
各補強部材５は、コ字断面形状で、側板３の辺縁とほぼ同じ長さである。各補強部材５の溝状開口部の両辺縁には、互いに食い違わせて内側に直角に折り曲げた一対の固定片５ａ・５ｂが、補強部材５の両端部と中間部とに一体に設けられている。
【００１６】
各ステー４の両端には、補強部材５の端部と側板３の角部とを覆って筐体１の角部を補強するコーナーカバー部４ａが一体に設けられている。
【００１７】
そして、これらステー４と側板３と補強部材５とは、ステー４のコーナーカバー部４ａと側板３の折り曲げ縁部３ａと補強部材５の固定片５ａ・５ｂとを互いに重ね、これらにそれぞれ設けられたネジ止め孔４ｂ・３ｂ・５ｃにネジ６を通して緊締することにより固定（ネジ止め固定）され、また補強部材５は、側板３の折り曲げ縁部３ａの中間部に対しても固定片５ａ・５ｂを重ねて同様にネジ止め固定されている。なお、ネジ止め固定に代えてリベットによる締結やスポット溶接などでも良い。
【００１８】
よって、側板３の辺縁は、それ自体の折り曲げ縁部３ａによって補強されているのに加え、折り曲げ縁部３ａに固定したコ字断面形状の補強部材５によってさらに強固に補強され、しかも側板３の辺縁の折り曲げ縁部３ａとこれに固定されたコ字断面形状の補強部材５とが、角パイプ状となって筐体１の角パイプ状縁枠を構成するので、筐体１全体の剛性を効果的に高めることができる。
【００１９】
また、ステー４のコーナーカバー部４ａによって、ステー４と側板３と補強部材５との結合を強固に行えるとともに、筐体１のコーナー部を補強して筐体１の剛性を一層高めることができる。
【００２０】
【発明の効果】
請求項１に係る発明によれば、側板の一部である折り曲げ縁部とコ字断面形状の補強部材とで筐体の角パイプ状縁枠を形成したので、側板の辺縁を、それ自体の折り曲げ縁部によって補強できるに加え、この折り曲げ縁部に固定したコ字断面形状の補強部材によってさらに強固に補強でき、しかも側板の辺縁の折り曲げ縁部とこれに固定されたコ字断面形状の補強部材とが筐体の角パイプ状縁枠を構成するので、筐体全体の剛性を部品点数少なく効果的に高めることができる。また、筐体の剛性をさらに高めたい場合には、コ字断面形状の補強部材だけその板厚を厚くすればよいので、軽量にて高剛性にできる。
【００２１】
請求項２に係る発明によれば、コ字断面形状の補強部材の内側に折り曲げた固定片を、側板の折り曲げ縁部に重ねて固定するので、補強部材を側板の折り曲げ縁部に強固に固定でき、請求項３に係る発明によれば、固定片を複数個所に設けたので、さらに強固に固定できる。
【００２２】
請求項４に係る発明によれば、ステーの端部のコーナーカバー部によって、ステーと側板と補強部材との結合を強固に行えるとともに、筐体のコーナー部を補強して筐体の剛性を一層高めることができる。
【図面の簡単な説明】
【図１】本発明の一実施例の斜視図である。
【図２】その一部分の分解斜視図である。
【符号の説明】
１    筐体
２    底板
３    側板
３ａ  折り曲げ縁部
３ｂ  ネジ止め孔
４    ステー
４ａ  コーナーカバー部
４ｂ  ネジ止め孔
５    補強部材
５ａ・５ｂ  固定片
５ｃ  ネジ止め孔
６    ネジ
【図１】
0004148442.tif 000002
【図２】
0004148442.tif 000003